(57)【要約】  アイテム（例えば、ペンニードルアセンブリ）を各空洞に格納する複数空洞キャリア（ＭＣＣ）からアイテムが取出されたときを検出するためのデバイス、システム、及び、方法が提供される。個別の再利用可能なデータ収集ユニット（ＤＣＵ）は、ＭＣＣに取り付けられることができ、空洞の状態（空又はアイテムで充填された等）を検出するためのセンサーを有する。ＤＣＵは、タイムスタンプ、オプションの日付、及び、各ＭＣＣ空洞からのアイテム取出し及びオプションのＭＣＣ空洞への使用済みアイテムの返却の空洞の位置に関連するデータを格納し、ユーザーはアイテムの使用状況（ペンニードルアセンブリ等）を追跡して、注射ペンとペンニードルアセンブリによるインスリン注射等の薬剤投与管理を改善できる。インジケータが生成され、どの空洞から次のアイテムを抽出するかを示し、注射部位の交替を促進する。
2021511897.tif 000002
【特許請求の範囲】
【請求項１】
保管及びその後の取出しのために、それぞれのアイテムを囲むように構成された空洞を有する、ディスペンサーに取外し可能に接続された再利用可能なデータ収集ユニットであって、
前記ディスペンサーに取外し可能に接続されたベースハウジングと、
前記ベースハウジング上に設けられ、それぞれの空洞内の前記アイテムの存在及び不在を検出し、対応するセンサーデータを生成するように構成された複数のセンサーと、
前記センサーデータを記憶するように構成されたメモリデバイスと、
前記ベースに設けられ、前記センサーデータを分析し、前記空洞のそれぞれから前記アイテムの取出しのタイムスタンプを決定するように構成されたプロセッサーと
を備える、再利用可能なデータ収集ユニット。
【請求項２】
前記プロセッサーは、前記センサーデータを分析し、前記空洞のそれぞれから前記アイテムを取り出した日付及び時間のうちの少なくとも１つを含むデータセットを決定するように構成される、請求項１に記載の再利用可能なデータ収集ユニット。
【請求項３】
前記プロセッサーは、前記センサーデータを分析し、前記空洞のそれぞれへの前記アイテムを返却した日付及び時間のうちの少なくとも１つを含むデータセットを決定するように構成される、請求項１に記載の再利用可能なデータ収集ユニット。
【請求項４】
前記ディスペンサーがペンニードルマガジンディスペンサーであり、前記アイテムがペンニードルアセンブリである、請求項１に記載の再利用可能なデータ収集ユニット。
【請求項５】
前記空洞は、前記ディペンサー内の指定されたパターンで配置され、前記センサーは、前記ディスペンサーが前記ベースハウジングに接続されると、前記センサーを前記空洞と位置合わせさせるために同様のパターンで前記ベースハウジングに配置される、請求項１に記載の再利用可能なデータ収集ユニット。
【請求項６】
前記複数のセンサーは、前記ベースハウジング内にセンサーマトリクスを作成し、前記ディスペンサー内の前記空洞は、前記センサーマトリクスに対応するグリッドパターンに従って構成される、請求項１に記載の再利用可能なデータ収集ユニット。
【請求項７】
前記ディスペンサーは、前記ディスペンサーの外周を画定する壁により、底部から離れた上部を有し、前記空洞のそれぞれが前記ディスペンサーの前記上部から前記底部に延在し、
前記外周は擬人化形状を画定し、前記空洞は、患者の腕、大腿、腹部、及び、臀部の少なくとも１つの推奨注射部位に対応する、前記擬人化形状内の領域に配置され、
前記プロセッサーは、前記センサーデータを分析し、それらに対応する空洞からの前記アイテムの不在の検出に基づいて、前記推奨注射部位のどれが使用されたかを決定し、前記患者に前記アイテムを使用するための指定パターンに基づいて、次の前記推奨注射部位を選択するように構成され、前記空洞内のどの前記アイテムを前記ディスペンサーから取出し、次に前記患者に使用するかを示す指示を生成する、請求項１に記載の再利用可能なデータ収集ユニット。
【請求項８】
前記指示は、指定された色及び発光ダイオード（ＬＥＤ）の発光のうちの少なくとも１つである、請求項７に記載の再利用可能なデータ収集ユニット。
【請求項９】
前記ディスペンサーの前記底部が、少なくとも１つの前記空洞と位置合わせした少なくとも１つの透明領域を含み、前記対応するアイテムが前記空洞から取出されると、前記空洞と位置合わせした前記センサーの対応する１つが、前記空洞に入る周囲光を検出するように動作可能である、請求項１に記載の再利用可能なデータ収集ユニット。
【請求項１０】
前記センサーデータは、ユニバーサルシリアルバス（ＵＳＢ）コネクタ及び無線リンクのうちの少なくとも１つを使用して、前記再利用可能なデータ収集ユニットからリモートデバイスに送信される、請求項１に記載の再利用可能なデータ収集ユニット。
【請求項１１】
保管及びその後の取出しのために、それぞれのアイテムを囲むディスペンサーであって、
前記ディスペンサーの外周を画定する壁によって第２の表面から離れた第１の表面と、
空洞のそれぞれが前記ディスペンサーの前記第１の表面から前記第２の表面に延在し、前記アイテムの１つを保管するように寸法決めされている、複数の空洞と
を備え、
前記第１の表面は、前記空洞のそれぞれの第１の端部の開口に対応し、前記それぞれのアイテムの１つをその空洞に受け入れるように構成された複数の開口部を備え、前記第２の表面は、前記空洞のそれぞれ内のアイテムの存在の検出を容易にするために、前記ディスペンサーに取外し可能に接続されたデータ収集ユニット内の複数のセンサーと連携するセンサー透過性表面である、ディスペンサー。
【請求項１２】
前記空洞のそれぞれは、前記開口部に入る周囲光を反射するライトパイプとして動作し、前記空洞は、そこに配置されたアイテムに対して寸法決めされ、前記アイテムが空洞内に存在するときに、前記周囲光が前記第２の表面に反射するのを防ぎ、前記アイテムが前記空洞から取出されたときに、周囲光が第２の表面に反射する、請求項１１に記載のディスペンサー。
【請求項１３】
前記空洞のそれぞれには、前記第２の表面を通して前記データ収集ユニットの光センサーに前記周囲光を集束させるように構成される、前記第２の表面に隣接するレンズが設けられる、請求項１２に記載のディスペンサー。
【請求項１４】
前記レンズが非結像光学系のエッジ光線原理を実装するように構成される、請求項１３に記載のディスペンサー。
【請求項１５】
前記レンズが複合放物面集光器を実装するように構成される、請求項１３に記載のディスペンサー。
【請求項１６】
ディスペンサーに取外し可能に接続された再利用可能なデータ収集ユニットを有する医療器具分配装置であって、前記ディスペンサーは、複数の無菌医療器具を保管及びその後の取出しのために収容するように構成された空洞を有し、前記データ収集ユニットは、
前記ディスペンサーに取外し可能に接続されたベースハウジングと、
前記ベースハウジングに設けられ、前記対応する空洞内の複数の無菌医療器具のそれぞれの存在及び不在を検出し、対応するセンサーデータを生成するように構成された複数のセンサーと、
前記センサーデータを記憶するように構成されたメモリデバイスと、
前記ベースに設けられ、前記センサーデータを分析し、対応する空洞からの複数の無菌医療器具の少なくとも１つの取外しを特徴付けるようにデータセットを決定するように構成されたプロセッサーと
を備える、医療器具分配装置。
【請求項１７】
前記プロセッサーは、前記センサーデータを分析し、対応する空洞から複数の無菌医療器具の取出した日付及び時間のうちの少なくとも１つを含むデータセットを決定するように構成される、請求項１６に記載の再利用可能なデータ収集ユニット。
【請求項１８】
前記プロセッサーは、前記センサーデータを分析し、対応する空洞への前記医療器具の返却した日付及び時間のうちの少なくとも１つを含むデータセットを決定するように構成される、請求項１６に記載の再利用可能なデータ収集ユニット。
【請求項１９】
前記ディスペンサーがペンニードルマガジンディスペンサーであり、前記複数の無菌医療器具がペンニードルアセンブリである、請求項１６に記載の再利用可能なデータ収集ユニット。
【請求項２０】
前記ディスペンサーは、前記ディスペンサーの外周を画定する壁により、底部から離れた上部を有し、前記空洞のそれぞれが前記ディスペンサーの前記上部から前記底部に延在し、
前記外周は擬人化形状を画定し、前記空洞は、患者の体の推奨使用部位に対応する擬人化形状内の領域に配置され、
前記プロセッサーは、前記センサーデータを分析し、それらに対応する空洞からの前記アイテムの不在の検出に基づいて、前記推奨使用部位のどれが使用されたかを決定し、前記患者に前記アイテムを使用するための指定パターンに基づいて、次の前記推奨使用部位を選択するように構成され、前記空洞内のどの前記医療器具を前記ディスペンサーから取出し、次に前記患者に使用するかを示す指示を生成する、請求項１６に記載の再利用可能なデータ収集ユニット。
【発明の詳細な説明】
【技術分野】
【０００１】
本発明の例示的な実施形態は、一般に、複数空洞キャリアに関し、各空洞からの構成要素の取出し、及び、構成要素の空洞への返却を検出するための複数空洞キャリアの強化に関する。
【背景技術】
【０００２】
例えば皮下注射器と共に使用される針アセンブリを保管及び分配するために、複数空洞キャリアが提案されてきた。針アセンブリは、例えば、薬物送達用非常用ペンのねじ山と噛み合うねじ山を有するアダプタに取り付けるように構成されたペン針を含むことができる。複数空洞キャリアの例は、共有に係る米国特許第５，８２９，５８９号、第５，８７３，４６２号、及び、第６，３４６，０９４号に記載されているような、複数のペンニードルアセンブリを保持するためのペンニードルマガジンディスペンサーであり、その内容は参照により本明細書に組み込まれる。
【０００３】
複数空洞キャリアの空洞からのアイテムの取出し、及び、その空洞への返却を検出する従来のシステムは、アイテムに使い捨ての無線周波数識別（ＲＦＩＤ）ラベル、又は、タグを使用していた。ＲＦＩＤラベル、又は、タグをこのように使用すると、コストがかかる可能性があり、ＲＦＩＤタグリーダーが必要な複数空洞キャリアが不必要に複雑になる可能性がある。
【発明の概要】
【発明が解決しようとする課題】
【０００４】
本発明の例示的な実施形態により、上記及び他の問題が克服され、追加の利点が実現される。
【０００５】
装置は、複数空洞キャリア（ＭＣＣ）と、保管、及び、任意選択でその中のアイテムの交換に関してユーザーに提供する情報を改善するために提供される。改善された複数空洞キャリアは、ＲＦＩＤタグ、及び、対応するＲＦＩＤリーダーよりも、ＭＣＣの空洞内のアイテムを検出するための費用対効果が高く、複雑でない方法を使用する。また、ＭＣＣから次にどのアイテムを取出して使用するかに関するユーザーへの改善された指示も提供される。
【課題を解決するための手段】
【０００６】
例示的な実施形態の態様によれば、ディスペンサーに取外し可能に接続された再利用可能なデータ収集ユニットが提供され、ディスペンサーは、保管、及び、その後の取出しのために、それぞれのアイテムを囲むように構成された空洞を有し、データ収集ユニットは、ディスペンサーに取外し可能に接続されたベースハウジングと、ベースハウジング上に設けられ、それぞれの空洞内のアイテムの存在及び不在を検出し、対応するセンサーデータを生成するように構成された複数のセンサーと、センサーデータを記憶するように構成されたメモリデバイスと、ベースに設けられ、センサーデータを分析し、空洞のそれぞれからアイテムの取出しのタイムスタンプを決定するように構成されたプロセッサーとを備える。
【０００７】
例示的な実施形態の態様によれば、ディスペンサーに取外し可能に接続された再利用可能なデータ収集ユニットを有する医療器具分配装置が提供され、ディスペンサーは、複数の無菌医療器具を保管及びその後の取出しのために収容するように構成された空洞を有し、データ収集ユニットは、ディスペンサーに取外し可能に接続されたベースハウジングと、ベースハウジングに設けられ、対応する空洞内の複数の無菌医療器具のそれぞれの存在及び不在を検出し、対応するセンサーデータを生成するように構成された複数のセンサーと、センサーデータを記憶するように構成されたメモリデバイスと、ベースに設けられ、センサーデータを分析し、対応する空洞からの複数の無菌医療器具の少なくとも１つの取出しを特徴付けるようにデータセットを決定するように構成されたプロセッサーとを備える。
【０００８】
例示的な実施形態の態様によれば、プロセッサーは、センサーデータを分析し、空洞のそれぞれからアイテム（例えば、無菌医療器具など）を取出した日付及び時間のうちの少なくとも１つを含むデータセットを決定するように構成される。
【０００９】
例示的な実施形態の態様によれば、プロセッサーは、センサーデータを分析し、空洞のそれぞれへアイテム（例えば、無菌医療器具など）を返却した日付及び時間の少なくとも１つを含むデータセットを決定するように構成される。
【００１０】
例示的な実施形態の態様によれば、ディスペンサーがペンニードルマガジンディスペンサーであり、アイテム（例えば、無菌医療器具）がペンニードルアセンブリである。
【００１１】
例示的な実施形態の態様によれば、空洞は、ディペンサー内の指定されたパターンで配置され、センサーは、ディスペンサーがベースハウジングに接続されると、センサーを空洞と位置合わせさせるために同様のパターンでベースハウジングに配置される。
【００１２】
例示的な実施形態の態様によれば、複数のセンサーは、ベースハウジング内にセンサーマトリックスを作成し、ディスペンサー内の空洞は、センサーマトリックスに対応するグリッドパターンに従って構成される。
【００１３】
例示的な実施形態の態様によれば、ディスペンサーは、ディスペンサーの外周を画定する壁により、底部から離れた上部を有し、空洞のそれぞれがディスペンサーの上部から底部に延在する。外周は擬人化形状を画定し、空洞は、患者の腕、大腿、腹部、及び、臀部の少なくとも１つの推奨注射部位に対応する、擬人化形状内の領域に配置される。プロセッサーは、センサーデータを分析し、それらに対応する空洞からのアイテムの不在の検出に基づいて、推奨注射部位のどれが使用されたかを決定し、患者にアイテムを使用するための指定パターンに基づいて、次の推奨注射部位を選択するように構成され、空洞内のどのアイテムをディスペンサーから取出し、次に患者に使用するかを示す指示を生成する。
【００１４】
例示的な実施形態の態様によれば、指示は、指定された色及び発光ダイオード（ＬＥＤ）の発光のうちの少なくとも１つである。
【００１５】
例示的な実施形態の態様によれば、ディスペンサーの底部が、少なくとも１つの空洞と位置合わせした少なくとも１つの透明領域を含み、対応するアイテムが空洞から取出されると、空洞と位置合わせしたセンサーの対応する１つが、空洞に入る周囲光を検出するように動作可能である。
【００１６】
例示的な実施形態の態様によれば、センサーデータは、ユニバーサルシリアルバス（ＵＳＢ）コネクタ及び無線リンクのうちの少なくとも１つを使用して、再利用可能なデータ収集ユニットからリモートデバイスに送信される。
【００１７】
例示的な実施形態の態様によれば、保管及びその後の取出しのために、それぞれのアイテムを囲むディスペンサーが提供され、ディスペンサーは、ディスペンサーの外周を画定する壁によって第２の表面から離れた第１の表面と、空洞のそれぞれがディスペンサーの第１の表面から第２の表面に延在し、アイテムの１つを保管するように寸法決めされている、複数の空洞とを備える。第１の表面は、空洞のそれぞれの第１の端部の開口に対応し、それぞれのアイテムの１つをその空洞に受け入れるように構成された複数の開口部を備え、第２の表面は、空洞のそれぞれ内のアイテムの存在の検出を容易にするために、ディスペンサーに取外し可能に接続されたデータ収集ユニット内の複数のセンサーと連携するセンサー透過性表面である。
【００１８】
例示的な実施形態の態様によれば、空洞のそれぞれは、開口部に入る周囲光を反射するライトパイプとして動作し、空洞は、そこに配置されたアイテムに対して寸法決めされ、アイテムが空洞内に存在するときに、周囲光が第２の表面に反射するのを防ぎ、アイテムが空洞から取出されたときに、周囲光が第２の表面に反射する。
【００１９】
例示的な実施形態の態様によれば、空洞のそれぞれには、第２の表面を通してデータ収集ユニットの光センサーに周囲光を集束させるように構成される、第２の表面に隣接するレンズが設けられる。
【００２０】
例示的な実施形態の態様によれば、レンズが非結像光学系のエッジ光線原理を実装するように構成される。
【００２１】
例示的な実施形態の態様によれば、レンズが複合放物面集光器を実装するように構成される。
【００２２】
本発明の追加及び／又は他の態様及び利点は、以下の説明に記載されることになるか、又は、説明から明らかとなるか、又は、本発明の実施によって知ることとなるであろう。本発明は、１つ以上の上記の態様、及び／又は、１つ以上の特徴及びそれらの組み合わせを有する、複数の空洞キャリア及びそれを動作させるための方法を含み得る。本発明は、例えば、添付の特許請求の範囲に記載されている上記の態様の特徴、及び／又は、組み合わせの１つ又は複数を含むことができる。
【００２３】
本発明の実施形態の上記及び／又は他の態様及び利点は、添付の図面と併せて以下の詳細な説明からより容易に理解されるであろう。
【００２４】
図面全体を通して、同様の参照番号は、同様の要素、特徴、及び、構造を指すと理解されるであろう。
【図面の簡単な説明】
【００２５】
【図１】本発明の実施形態に従って構成されたスマートディスペンサーの斜視図である。
【図２Ａ】本発明の実施形態による、図１のスマートディスペンサーのデータ収集ユニットの斜視図である。
【図２Ｂ】本発明の実施形態による、図１のスマートディスペンサーのデータ収集ユニットの斜視図である。
【図３】本発明の実施形態による、図１のスマートディスペンサーの複数空洞キャリアの分解図である。
【図４】本発明の実施形態による、データ収集ユニットのブロック図である。
【図５】本発明の別の実施形態に従って構成されたスマートディスペンサーの斜視図である。
【図６】本発明の実施形態に従って構成されたスマートディスペンサーの断面図である。
【図７Ａ】本発明のそれぞれの実施形態に従って構成された複数の空洞キャリアの部分断面図である。
【図７Ｂ】本発明のそれぞれの実施形態に従って構成された複数の空洞キャリアの部分断面図である。
【図８】本発明の実施形態によるデータ収集ユニットの一連の動作を示す。
【発明を実施するための形態】
【００２６】
次に、添付の図面に示されている本発明の実施形態を詳細に参照する。本明細書で説明される実施形態は、図面を参照することによって、本発明を例示するものであるが、これに限定するものではない。
【００２７】
図１は、複数空洞キャリア（ＭＣＣ）１４に接続された再利用可能なデータ収集ユニット（ＤＣＵ）１２を備えるスマートディスペンサー１０の例示的な実施形態を示している。ＤＣＵ１２及びＭＣＣ１４は、ＭＣＣ１４のハウジング１６からそれぞれの空洞１８1〜１８nからのアイテム２０の取出し、及び、アイテム２０の返却の検出を可能にするように構成される。例示的な実施形態の態様によれば、ＭＣＣ１４は、ＤＣＵ１２に取り外し可能に取り付けられる。図２Ａ、及び、図２Ｂは、それぞれ、ＭＣＣ１４から離れたＤＣＵ１２を示す。
【００２８】
図１、及び、図３を参照すると、ＭＣＣ１４は、グリッド、又は、他のパターンで配置された複数の空洞１８1〜１８nを有するハウジング１６を有する。ハウジング１６内の各空洞１８は、ペンニードルアセンブリ等のアイテム２０を受け入れるように寸法決めされている。例えば、ＭＣＣ１４は、薬物送達ペン用の滅菌ペンニードルアセンブリ２０を保持、及び、分配し、使用後に針を安全に保管するペンニードルマガジンである。しかしながら、ＭＣＣ１４は、ペンニードルアセンブリ以外の他のタイプのアイテム２０を格納するように寸法決めされた空洞１８1〜１８nを有するキャリアであり、そして、ＤＣＵ１２は、アイテム２０が各空洞１８1〜１８nから取出されたときを検出し、アイテム２０がその空洞１８に返却されたときを随意に検出するよう構成されることが理解されるべきである。
【００２９】
ＭＣＣ１４がその空洞１８1〜１８nにペンニードルアセンブリ２０を格納するマガジンディスペンサーである例示的な実施形態によれば、ユーザーは、図６に示すように、薬物送達ペン６２上のアダプタ６０を空洞１８1〜１８nの１つに挿入することができる。ユーザーは、ペン６２を回転させて、未使用のペンニードルアセンブリ２０を薬物送達ペンのアダプタ６０に取り付ける。注射が実施された後、使用済みペンニードルアセンブリを空洞１８に挿入し、ペン６２を回転させて、ペンニードルアセンブリをペンのアダプタから取り外すことにより、使用済みペンニードルアセンブリ２０は空洞１８に戻される。例示的なマガジンディスペンサーは、参照によりその全体が本明細書に組み込まれている、共同所有の米国特許第６，３４６，０９４号に記載されている。しかしながら、ＭＣＣ１４は、ペンニードルアセンブリ以外の他のタイプのアイテムを受け入れるように構成することができ、空洞１８からの取出し、及び、空洞１８への返却のためにアイテム２０に取り付ける必要は必ずしもないことを理解されたい。
【００３０】
ユーザーが薬物送達ペン６２、又は、他のデバイスをＭＣＣ１４の空洞１８1〜１８nの１つに挿入し、未使用のペンニードルアセンブリ２０を薬物送達ペンに取り付けると、結果として生じる、開いた又は空の空洞１８が検出される。図４に関連して以下で説明するように、ＤＣＵ１２により、検出された開いた空洞１８の１つ以上の日付、時間、及び、位置に関するデータが、マイクロプロセッサー及びメモリを介してＤＣＵ１２に記録される。注射が行われ、使用済みのペンニードルアセンブリ２０が空洞１８に返却された後、結果として生じた充填された空洞がＤＣＵ１２によって検出され、検出された充填された空洞の日付、時刻、位置に関するデータがＤＣＵのマイクロプロセッサーとメモリを介して記録される。位置は、物理的な位置（例えば、マイクロプロセッサーからのＧＰＳ座標）、ＭＣＣ１４上の位置、又は、身体の位置、又は、これらの組み合わせを示す。この記録されたデータは、薬物送達イベントを追跡するユーザーにとって有益である。さらに、以下で説明するように、ＤＣＵ１２は、ユーザーがＭＣＣ１４から次のアイテム２０を選択して注射部位の回転を促すために使用するのを援助するインジケータを提供できる。ＭＣＣ１４、及び、ＤＣＵ１２内で、空の、及び、充填された空洞１８1〜１８nを感知するためのデバイスは、以下でより詳細に説明される。
【００３１】
上述のように、図１、図２、及び、図３に示すように、ＭＣＣ１４は、空洞１８1〜１８nを備えたハウジング１６を有する。例示的な実施形態によれば、空洞１８1〜１８nを有するハウジング１６には、それぞれのブレット２４1〜２４nが設けられ、各ブレット２４は、図３及び図６に示すように、対応する空洞１８の内部を覆うように構成される。ブレット２４の有無にかかわらず、空洞１８は、図７Ａ及び図７Ｂに関連して以下で説明するように、ＤＣＵ１２内のセンサー５０（例えば、光センサ）への光パイプとして動作することができる。ＤＣＵ１２は、光センサーに加えて、異なるタイプのセンサー５０（例えば、ホール効果センサー又は他のタイプの近接センサー）を使用でき、従って、ブレット２４、空洞１８、及び、空洞１８に隣接するハウジングの部分はライトパイプとして動作する必要がないことが理解される。
【００３２】
ブレット２４1〜２４nは、ハウジング１６及び対応する空洞１８に対して取り外し可能であるか、又は、空洞１８の一体部分として形成される。ブレット２４1〜２４nがハウジング１６から分離されて一体ではないように構成されることの利点は、各ブレット２４がペンニードルアセンブリ２０をＭＣＣ１４に装填するための効率的な機構を提供し、個々のペンニードルアセンブリ２０の製造、検査、及び、改善された品質管理が容易になることである。特に、損傷したペンニードルアセンブリ２０がブレット２４内に見つかった場合、ブレット２４及びペンニードルアセンブリ２０全体を廃棄し、ＭＣＣ１４、ハウジング１６、及び、他のペンニードルアセンブリ２０の残りを失うことなく、新しいペンニードルアセンブリ２０、及び、ブレット２４と交換することができる。さらに、この構成により、大量のブレット２４を容易に製造して、様々なＭＣＣに組み込むことが可能になる。ＤＣＵ１２によるその中のアイテム２０の取出し、及び、返却の検出を容易にするブレット２４1〜２４nの構成は、図６、図７Ａ、及び、図７Ｂに関連して以下に説明される。
【００３３】
一例として、図３に示すように、各ブレット２４1〜２４nには、そのブレットに挿入されるペンニードルアセンブリ２０に設けられたスレッド３２と相互作用するスレッド３４を設けることができる。各ブレット２４はまた、ブレット２４を少なくとも取り外し可能に空洞１８に固定するために、空洞１８の溝３８と嵌合するための回転防止リブ３６、又は、他の保持機構を備えることができる。他の保持機構を使用して、アイテム２０をブレット２４、又は、空洞１８に固定することができる。さらに、他の保持機構を使用して、ブレット２４を空洞１８に保持することができ、又は、上述のように、ブレット２４1〜２４nは、ハウジング１６と一体であり、それぞれの空洞１８1〜１８nから取出すことができない。
【００３４】
ハウジング１６、及び、ブレット２４1〜２４nは、例えば、ポリプロピレン又は同様の材料から成形することができる。図３に示すように、ＭＣＣ１４は、例えば、ＭＣＣ１４にスナップフィット又はプレスフィットすることができ、図１に示すようにＭＣＣ１４がＤＣＵ１２に取り付けられたときに、取出すことができるカバー２６を任意に備えることができる。さらに、ＭＣＣ１４は、ハウジング１６の上部に統合され、又は、離された層２２を備えることができる。層２２は、例えば、それらがライトパイプとして動作するように構成され、後述するように、対応する空洞１８からのアイテム２０の配置、取出し、及び、交換の正確な検出を妨げる場合に、空洞１８1〜１８nに入る可能性のある望ましくない光の量を低減するために、不透明材料から形成される。層２２は、アイテム２０を受け入れるためにそれぞれの空洞１８1〜１８nと位置合わせされた開口部２３を有し、各開口部２３は、図１に示されるように、無菌膜又はラベル２８を備えることができる。上述のようにアイテム２０を備えたブレット２４を受け入れる空洞１８の例では、ブレット２４1〜２４nはそれぞれ無菌膜又はラベル２８を備えることができる。いずれの場合も、無菌膜又はラベル２８は、アイテム２０（例えば、ブレット２４のペンニードルアセンブリ２０）が使用されようとしているときに取出される。図１に示される例示的な実施形態では、ＭＣＣ１４は、空洞１８3〜１８5、１８7、及び、１８8が空である、８つの空洞１８1〜１８8を有し、（例えば、内部にペンニードルアセンブリ２０を備えたブレット２４などのように、空洞１８に格納されたアイテム２０が取出されている。）、空洞１８1及び１８2はアイテム２０（図示せず）で満たされ、無菌障壁２８で密封され、空洞１８6はその障壁２８が取出され、現在取出されようとしているアイテム２０で充填されている。あるいは、層２２は、その領域の大部分にわたって（例えば、層２２に接着される）膜層２８を備えることができ、そして、膜２８は、それぞれの空洞１８1〜１８nに対応し、それらに近接する印を備えて、アイテム２０がそこから取り出されるときに、空洞１８の位置での膜の穿刺を容易にすることができる。
【００３５】
ＤＣＵ１２は、ＭＣＣ１４及びブレット２４と同様に、ポリプロピレン又は同様の材料から成形することもできるハウジング６６を有する。ハウジング６６は、ＭＣＣ１４の空洞１８1〜１８nと同様のグリッド又はパターンで配置されたセンサー５０1〜５０nを囲んでおり、各センサー５０を使用して、対応する空洞１８内のアイテム２０の存在及び不在を検出することができる。例えば、図２Ａに示されるＤＣＵ１２は、ＭＣＣ１４の空洞１８1及び１８8のうちの対応する空洞の縦軸と同一直線上にあるようにマトリクス状に配置されたセンサー５０1〜５０8を有する。使用されるセンサー５０のタイプに応じて、センサー５０1〜５０nは、ハウジング１６のＭＣＣ１４の底部層３０に隣接するハウジング６６の表面６８上に見えても見えなくてもよい。
【００３６】
ハウジング１６のＭＣＣ１４の側面に当接するＤＣＵ１２の表面７０は、ＭＣＣ１４上の保持機構４６と協働してＭＣＣ１４をＤＣＵ１２に取り外し可能に取り付ける保持機構４０を備える。例えば、保持機構４０は、より狭いネック４４によって表面７０から隆起したプレート４２を含むことができる。プレート４２及びネック４４は、ハウジング６６に一体的に形成することができる。ＭＣＣ１４の保持機能は、リップ４８を有する凹部４６を含み、凹部４６は、プレート４２を受け入れるように寸法設定されているが、リップ４８によって画定された領域は、ＭＣＣ１４のリップ４８がプレート４２の後方で、ＤＣＵ１２のネック４４の上をスライドするときに、ＭＣＣ１４をＤＣＵ１２上に保持するための凹部よりも小さい。他の保持メカニズムをＤＣＵ１２及びＭＣＣ１４で使用して、ＭＣＣ１４をＤＣＵ１２に取り外し可能に取り付けることができ、その結果、ＤＣＵ１２内のセンサー５０1〜５０nが、ＭＣＣ１４の空洞１８1〜１８nの対応するものと位置合わせされる。保持機構４０及び４６は、図２Ａ及び図２Ｂに示されるもの以外に、それぞれ、ＤＣＵ１２及びＭＣＣ１４の他の表面上に展開され得ることが理解されるべきである。さらに、ＭＣＣ１４及びＤＣＵ１２との間に磁気接続を提供するために、ＤＣＵ１２及びＭＣＣ １４にそれぞれ１つ又は複数の金属接点７６及び磁石７８を設けることができ、従って、ＭＣＣ１４をよりしっかりとＤＣＵ１２に取り付ける。
【００３７】
図２Ａ及び図４を参照して、ＤＣＵ１２は、マイクロプロセッサー又は他のタイプのコントローラ５２と、複数のセンサー５０1〜５０nから受信したデータを格納するための、統合された及び／又は別のメモリ記憶装置５４とを備えている。本発明の例示的な実施形態によれば、ＤＣＵ１２はまた、以下でより詳細に説明するように、空洞が空であるか、充填されているか、アイテム２０が使用のために取出される次の空洞１８であるか、エラーが発生したかどうか等のような、発光ダイオード（ＬＥＤ）８０1〜８０n、又は、空洞１８1〜１８nのそれぞれの空洞のステータスの他のインジケータを備えることができる。指定された期間内にアイテムが取出された、及び、交換された日時のような、選択されたデータを表示するためにコントローラ５２を介してＤＣＵ１２を操作することができるように、ディスプレイ５６（例えば、液晶ディスプレイ（ＬＣＤ））が設けられる。これは、ペンニードルアセンブリのようなアイテム２０の展開を表すことができ、したがって、ペンニードルアセンブリが接続され、空洞１８から取出され、その後、空洞１８に返却され、切り離された薬物送達ペンによる注射された薬物の対応する投与を表すことができる。
【００３８】
図２Ａと図４に示すように、ＤＣＵ１２は、センサー５０1〜５０nからのデータ、及び、対応するタイムスタンプ、又は、空洞１８に対するアイテム２０の取出し又は交換のセンサー検出の日時、又は、グリッド内の他の空洞１８nに対する空洞の位置、を受信、及び、格納するためにＵＳＢ７４を選択できるオプションの有線インターフェース５８を備えることができる。例えば、図５に示すように、ＭＣＣ１４のハウジング１６は、別の例示的な実施形態による図１に示すような長方形ではなく、擬人化した形状を有することができる。ハウジング１６の空洞１８1〜１８12は、患者の身体の選択された注射部位に対応するパターンで配置されている。（例えば、患者の脚の部位に対応する空洞１８1〜１８4、患者の腹部の部位に対応する空洞１８5〜１８8、及び、患者の上腕の部位に対応する空洞１８9及び１８10）。ＭＣＣ１４の対応する空洞１８により表される指定された注射部位で注射するためにアイテム２０（例えば、ペンニードルアセンブリ）を使用することにより、患者は、身体の異なる領域の間で注射部位の交替を練習することを奨励され、脂肪異栄養症又は「リポ」を発症する可能性を減らす。以下で説明するように、インジケータ８０1〜８０nは、部位の交替を促進するために、ＤＣＵ１２によって選択的に操作することができる。空の空洞１８の位置をメモリデバイス５４に格納することにより、コントローラ５３は、以前に検出された空の空洞１８に基づいて、インジケータ８０を選択的に照らして、部位の交替を目的とした最適な注射部位を表す、次の空洞１８から未使用のアイテム２０の選択を促すことができる。
【００３９】
必要に応じて、各空洞１８は、使用可能な注射針２０を示すために、点滅又は点灯するようにプログラムすることができる関連するＬＥＤ８０を有する。使用可能な注射針２０は、次の自由な注射針であってもよく、又は、次の安全な注射部位に対応する部位回転アルゴリズムに基づいていてもよい。次の安全な注入部位の場合、ＬＥＤの色を変更することでこれを示すことがある。例えば、以下も含まれる。
【００４０】
【表１】
2021511897.tif 000003
【００４１】
あるいは、空洞１８に関連するＬＥＤ８０は、色と点滅（又は、ＬＣＤ５６上の表示）の組み合わせによって次の使用を示すようにプログラムすることができる。
【００４２】
【表２】
2021511897.tif 000004
【００４３】
あるいは、図５の人体のような形をしたディスペンサーの擬人化位置の次の針、及び、部位を示すことにより、次の注射部位を示してもよい。空洞１８に対する色、点滅シーケンス、及び、インジケータ位置の他の組み合わせを使用して、空洞１８の状態を示し、アイテム２０の選択を容易にすることができることを理解されたい。
【００４４】
ＤＣＵ１２はまた、ＤＣＵ１２を別のデータストア、又は、携帯電話などの無線接続デバイスに接続するためのオプションの無線インターフェース６０（例えば、ＷｉＦｉ、Ｂｌｕｅｔｏｏｔｈ（登録商標）、又は、セルラーネットワーク接続を介する）を備えることができる。例えば、アプリは、ＤＣＵ１２と連携してユーザーの携帯電話に提供され、ＭＣＣ１４のアイテム２０のマトリックスの表現を電話のディスプレイに提供し、さらに、どの空洞１８1〜１８nがアイテム２０に充填され、又は、空であり、どのアイテムが次に使用されるか、及び、過去にアイテム２０が使用された日時と位置等のプログラムされたインディケーションを表示する（例えば、空洞１８からのアイテムの取出しの検出、又は、空洞から取出されたアイテムが、注射を施すためのペンニードルアセンブリのようなアイテム２０の確認された使用を表す選択された期間内で返却されたかの検出等）。ＤＣＵ１２のオプションのボタン８２は、ＤＣＵ１２の電源をオン及びオフにし、ＤＣＵ１２を起動し、アイテム２０をそこから取出す次の空洞１８の表示を要求するように構成することができる。
【００４５】
図６を参照すると、アダプタ６０を備えたペン６２が、ＭＣＣ１４のハウジング１６の空洞１８内のペンニードルアセンブリ２０に接続されて示されている。空洞１８は、空洞１８を位置合わせし、ペンニードルアセンブリ２０を封入するブレット２４と共に示されている。上述のように、空洞１８は、一体型又は取り外し可能なブレット２４の有無にかかわらず構成することができる。言い換えると、空洞１８は、空洞を位置合わせするためのブレット２４無しでアイテム２０をその中に格納することができ、又は、ブレット２４は、空洞に位置合わせするために空洞１８に固定することができ、又は、図３に示される例示的な実施形態において上述したように、ブレット２４は、空洞１８に取り外し可能に設けることができる。これらの構成のいずれにおいても、空洞１８、及び、任意のブレット２４は、そのアイテム２０の取出し時にその上部から空洞１８に入射することが許容される光の検出を容易にするライトパイプとして構成され、すなわち、光はハウジング１６の層２２の開口部２３、及び、空洞１８内に入射する。空洞１８は、空洞内にアイテム２０が存在することにより、光が空洞の底部に移動し、ハウジング１６の底層３０を通過するのを防ぐように、アイテム２０に対して寸法決めされる。しかしながら、アイテム２０が空洞１８から取出されると、光は空洞内で反射し、ハウジング１６の底層３０、及び、ＤＣＵ１２の表面６８を透過して、ＤＣＵ１２内の対応する光センサー５０に突き当たる。
【００４６】
上述のように、ハウジング１６は、空洞１８1〜１８n、及び、ＤＣＵ１２内の対応するセンサー５０1〜５０nと位置合わせされた領域の中に、センサー透過性材料（例えば、空洞内の光が光センサー５０に突き当たることを可能にする透明又は半透明のプラスチックなどの光透過性材料）であるか、又は、少なくともセンサー透過性材料を有する底層３０を有する。空の空洞１８に入射した光がＤＣＵ１２の対応するセンサー５０に突き当たる程度は、レンズを使用して光を集束させることにより改善でき、これにより、アイテム２０が空洞１８から取出され、空洞に入射する光の経路に干渉しなかった場合でも、光がセンサーに当たらないときに起こり得る、充填された空洞１８の誤検出の発生を低減する。
【００４７】
ＭＣＣ１４（例えば、ペンニードルディスペンサー）は、複数の空洞１８1〜１８nの底部に一体化されたレンズを含むことができ、各空洞レンズは、空洞１８の反対端の開口からの光を検出するように最適化される。図７Ａは、ブレット２４で任意に位置合わせされた空洞１８を示し、ブレットの底部は、非結像光学系のエッジ光線原理を実装するように成形されたレンズ８４で構成される。このレンズ構造８４は、反射率の低いハウジング又はブレット材料を通過光の透過を好むので、反射率の低い材料で構成されたディスペンサー１４用である。代替の例示的な実施形態によれば、ブレット２４の底部は、複合放物面集光器を実装するように成形されたレンズ８６を含む。このレンズ構造８６は、レンズ８６がより高度に反射された光を空洞の底部の中心位置に集中させるので、より高い反射率を有する材料で構成されたディスペンサー１４に有用である。レンズ８４及び８６は、図７Ａ及び７Ｂに示されるように、研磨されたアクリルなどの光透過性材料から作製され、成形され、ブレット２４のセクションの端、又は、空洞１８の底に成形され、ここで、ブレット２４の残りの部分又は空洞は、光の焦点を合わせるのには効果的ではないかもしれないが、製造コストを最小限に抑えることができる、異なるタイプのプラスチックなどの異なる材料から作製できる。従って、ブレット２４は、単一の均質材料から製造されるか、又は、複数の材料とのアセンブリで形成されるか、又は、様々な材料からの複数工程の成形作業（例えば、２ショット成形作業、又は、オーバーモールディング作業）で製造されることが想定される。従って、ブレット２４のレンズ部分がブレット２４の機能的回収部分と同じ材料である必要はない。
【００４８】
次に、図８を参照して、ＤＣＵ１２のコントローラ５２の例示的な動作について説明する。上述のように、ＤＣＵ１２は、例えば、それらが空であるか、又は、アイテム２０で充填されているか、及び、どの空洞からのものであるかなど、その空洞１８1〜１８nのステータスの追跡又は目録を取るようにプログラム、又は、他の方法で構成することができ、次に、ＭＣＣ１４に格納されているアイテム２０のマトリックスから、ショット交替レジメン(shot rotation regimen)やその他の使用パターンなどの指定されたアルゴリズムに従ってアイテムを取出す必要がある。コントローラ５２は、所定の数の空洞位置のうちのどれが空であるかに注目することから始めることができる（ブロック９０）。次に、ブロック９２に示すように、コントローラは、空洞１８の位置に対応するセンサー５０が新しい空の空洞を検出するかどうかを判断する（例えば、その空洞内のアイテム２０は、状態インベントリがブロック９０ごとに取られたので取出されている）。そうである場合、コントローラは、ブロック９４、及び、９６にそれぞれ示されるように、タイムスタンプ、及び、任意選択で、そのセンサー５０に対応する空洞１８の位置からのアイテム２０の取出しの日付を記録し、ＭＣＣ１４内の位置を記録する。コントローラ５２は、ブロック９８ごとに、ユーザーが取出し後にアイテム２０を使用することができる予想時間に対応する指定された持続時間に対応するタイムアウトループを開始し、その後、そのアイテムを空洞に返却できる（例えば、ユーザーがＭＣＣ１４からペンニードルアセンブリなどのアイテム２０を取出し、薬物を注入し、使用済みのペンニードルアセンブリをＭＣＣ１４の同じ空洞１８に戻すのに十分な１０秒、又は、他の時間等）。
【００４９】
図８のブロック１００ごとにタイムアウトループが終了した後、コントローラは、そのセンサー５０が対応する空洞１８が空であることを検出するかどうかを決定する。アイテム２０がタイムアウト期間の終わりまでに返却された場合、センサーは、ブロック９２からの負の線で示されるように空の空洞を検出せず、少なくとも、充填された空洞を決定するためのタイムスタンプを記録し（ブロック１０２）、及び、その空洞の位置を記録する（ブロック１０４）。アイテム２０が正常に取出し、及び、交換されたことが検出された場合、ブロック９６、及び、１０６で記録された位置Ａ、及び、Ｂは同じになり、そうでない場合、ブロック１０８に示されるように、発生したエラー、及び、エラーの表示を（例えば、ディスプレイ５６を介して）出力することができる。ＤＣＵ １２は、上述のように、ユーザーがそこから次のアイテム２０を取出すべき空洞１８の位置に対応するインジケータ（例えば、ＬＥＤ８０）を操作するように任意選択で構成することができる。
【００５０】
図８に関連して説明されたＤＣＵ１２内のコントローラ５２の動作は、使用後にアイテムを格納する例示的なＭＣＣ１４を示す。コントローラ５２の動作はまた、空洞の位置の定期的なインベントリを作成して、空の位置を決定し、アイテム２０がそこから取出されるときに、タイムスタンプ及び空洞１８1〜１８nのオプションの位置を記録することができることを理解されたい。このため、タイムアウト期間を採用する（ブロック９８、１００）か、そうでなければアイテム２０のそれぞれの空洞への戻りを検出する（ブロック１０２、１０４）。
【００５１】
本開示が、以下で説明にされるか、又は図面に図示される、構造の詳細、及び、構成要素の配置に、その適用が限定されないことを当業者によって理解されることとなるであろう。本明細書の実施形態は、他の実施形態が可能であり、様々な方法で実施又は実行することができる。また、本明細書にて使用される表現、及び、用語は、説明を目的とするものであり、限定するものとしてみなすべきではないことが理解されることとなるであろう。本明細書における「含む」、「備える」、又は「有する」、及び、それらの変形例の使用は、追加の項目と同様に、その後に列挙される項目、及び、その均等物を包含することを意味する。特に限定されない限り、本明細書における「接続」、「結合」、及び「取り付け」という用語、及びそれらの変形例は、広範囲に用いられ、直接的及び間接的な接続、結合、及び取り付けを包含する。さらに、「接続された」及び「結合された」という用語、及びそれらの変形例は、物理的又は機械的な、接続又は結合に限定されない。さらに、上、下、底面、及び上面などの用語は、相対的であって、図解を補助するために使用されるものではあるが、限定するものではない。
【００５２】
本発明の例示の実施形態に従って使用される例示的なデバイス、システム、及び方法のコンポーネントは、少なくとも部分的に、デジタル電子回路、アナログ電子回路、又は、コンピュータハードウェア、ファームウェア、ソフトウェア、又は、それらの組み合わせで実装することができる。これらのコンポーネントは、例えば、プログラム可能なプロセッサー、コンピュータ、又は、複数のコンピュータなどのデータ処理装置による実行、又は、それらの動作を制御するために、情報媒体、又は、機械可読ストレージデバイスに有形に組み込まれたコンピュータプログラム、プログラムコード、又は、コンピュータ命令などのコンピュータプログラム製品として実装することができる。
【００５３】
コンピュータプログラムは、コンパイル型言語もしくはインタプリタ型言語を含んだ任意の形式のプログラミング言語で作成されてよく、コンピュータプログラムは、スタンドアロンプログラム、又は、モジュール、構成要素、サブルーチン、もしくはコンピューティング環境での使用に適した他のユニットを含んだ任意の形式で展開されてよい。コンピュータプログラムは、１つのコンピュータ、又は、１つのサイトの複数のコンピュータで実行されるように展開するか、複数のサイトに分散して通信ネットワークで相互接続することができる。また、本発明を達成するための機能プログラム、コード、及び、コードセグメントは、本発明が関係する当業者によって、本発明の範囲内であると容易に解釈され得る。本発明の例示的な実施形態に関連する方法ステップは、機能を実行するためのコンピュータプログラム、コード、又は、命令を実行する１つ又は複数のプログラム可能なプロセッサーによって実行できる（例えば、入力データを操作し、及び／又は、出力を生成することによって）。方法のステップも実行でき、本発明の装置は、例えば、ＦＰＧＡ（フィールドプログラマブルゲートアレイ）又はＡＳＩＣ（特定用途向け集積回路）などの専用論理回路として実装できる。
【００５４】
本明細書に開示される実施形態に関連して説明される様々な例示的な論理ブロック、モジュール、及び、回路は、汎用プロセッサー、デジタル信号プロセッサー（ＤＳＰ）、ＡＳＩＣ、ＦＰＧＡ、又は、他のプログラム可能な論理デバイス、個別ゲート、又は、トランジスタロジック、個別ハードウェアコンポーネント、又は、本書で説明する機能を実行するように設計されたそれらの任意の組み合わせにより、実装又は実行され得る。汎用プロセッサーは、マイクロプロセッサーであり得るが、代替として、プロセッサーは、任意の従来のプロセッサー、コントローラ、マイクロコントローラ、又は、状態機械であり得る。プロセッサーはまた、コンピューティングデバイスの組み合わせ、例えば、ＤＳＰとマイクロプロセッサーの組み合わせ、複数のマイクロプロセッサー、ＤＳＰコアと組み合わせた１つ以上のマイクロプロセッサー、又は、他のそのような構成として実装されてもよい。
【００５５】
コンピュータプログラムの実行に適したプロセッサーは、例として、汎用、及び、専用の両方のマイクロプロセッサー、及び、任意の種類のデジタルコンピュータの任意の１つ又は複数のプロセッサーを含む。一般に、プロセッサーは、読み取り専用メモリ及び／又は、ランダムアクセスメモリから命令とデータを受け取る。コンピュータの重要な要素は、命令を実行するためのプロセッサーと、命令とデータを格納するための１つ以上のメモリデバイスである。一般に、コンピュータはまた、例えば、磁気、光磁気ディスク、又は、光ディスクなど、データを格納するための１つ又は複数の大容量記憶装置を含むか、又は、それらからデータを転送するように動作可能に結合される。コンピュータプログラム命令、及び、データを具現化するのに適した情報媒体には、例として、電気的にプログラム可能な読み取り専用メモリ又はＲＯＭ（ＥＰＲＯＭ）、電気的に消去可能なプログラム可能なＲＯＭ（ＥＥＰＲＯＭ）、フラッシュメモリデバイスなどの半導体メモリデバイス、及び、データストレージディスク（磁気ディスク、内蔵ハードディスク、又は、リムーバブルディスク、光磁気ディスク、ＣＤーＲＯＭ、及び、ＤＶＤ−ＲＯＭディスク等）を含む、あらゆる形式の不揮発性メモリが含まれる。プロセッサーとメモリは、特別な目的のロジック回路によって補完又は組み込むことができる。
【００５６】
当業者は、情報、及び、信号が、様々な異なる技術及び技法のいずれかを使用して表され得ることを理解するであろう。例えば、上記の説明全体で参照される可能性があるデータ、命令、コマンド、情報、信号、ビット、シンボル、及び、チップは、電圧、電流、電磁波、磁場又は粒子、光学場、又は、粒子、又は、それらの任意の組み合わせによって表すことができる。
【００５７】
本明細書に開示される実施形態に関連して説明される様々な例示的な論理ブロック、モジュール、回路、及び、アルゴリズムステップは、電子ハードウェア、コンピュータソフトウェア、又は、両方の組み合わせとして実装され得ることを当業者はさらに理解する。ハードウェアとソフトウェアのこの互換性を明確に示すために、さまざまな実例となるコンポーネント、ブロック、モジュール、回路、及び、ステップを、それらの機能の観点から一般的に上記で説明した。このような機能がハードウェアとして実装されるかソフトウェアとして実装されるかは、システム全体に課される特定のアプリケーションと設計の制約に依存する。当業者は、特定のアプリケーションごとに様々な方法で説明した機能を実装することができるが、そのような実装の決定は、本発明の範囲からの逸脱を引き起こすと解釈されるべきではない。ソフトウェアモジュールは、ランダムアクセスメモリ（ＲＡＭ）、フラッシュメモリ、ＲＯＭ、ＥＰＲＯＭ、ＥＥＰＲＯＭ、レジスタ、ハードディスク、リムーバブルディスク、ＣＤーＲＯＭ、又は、当技術分野で知られている任意の他の形式の記憶媒体に常駐することができる。例示的な記憶媒体は、プロセッサーが記憶媒体から情報を読み取り、記憶媒体に情報を書き込むことができるようにプロセッサーに結合される。代替として、記憶媒体は、プロセッサーに統合されてもよい。言い換えれば、プロセッサー、及び、記憶媒体は、集積回路内に常駐するか、又は、別個のコンポーネントとして実装され得る。
【００５８】
コンピュータ可読非一時的媒体は、磁気記憶媒体、光学記憶媒体、フラッシュ媒体、及び、固体記憶媒体を含む、あらゆるタイプのコンピュータ可読媒体を含む。ソフトウェアは、中央処理装置（ＣＰＵ）デバイスにインストールして販売できることを理解されたい。又は、ソフトウェアを取得してＣＰＵデバイスにロードすることもでき、これには、例えば、ソフトウェア作成者が所有するサーバーから、又は、ソフトウェア作成者が所有していないが使用するサーバーからなど、物理メディア又は配布システムを通じてソフトウェアを取得することが含まれる。ソフトウェアは、例えばインターネットを介して配布するためにサーバーに保存することができる。
【００５９】
上記の説明及び図は、例としてのみ意図されており、以下の特許請求の範囲に記載されている場合を除いて、決して本発明を限定することは意図されていない。特に、当業者は、上述で説明した様々な例示的な実施形態の様々な要素の様々な技術的態様を、他の多くの方法で容易に組み合わせることができ、それらはすべて本発明の範囲内であると見なされる。
【図１】
2021511897.tif 000005
【図２Ａ】
2021511897.tif 000006
【図２Ｂ】
2021511897.tif 000007
【図３】
2021511897.tif 000008
【図４】
2021511897.tif 000009
【図５】
2021511897.tif 000010
【図６】
2021511897.tif 000011
【図７Ａ】
2021511897.tif 000012
【図７Ｂ】
2021511897.tif 000013
【図８】
2021511897.tif 000014
【国際調査報告】
2021511897.tif 000015